(57)【要約】【課題】曲率の大きな部分でも、異なる光源下で予測のつかない外観を安価に形成することのできる軽量構造の釣り又はゴルフ用物品を提供すること【解決手段】曲面状の外面を有する本体部１２と、この本体部１２上に形成され、干渉色を発生させる波板状構造の微細粒子２０を含む装飾層１４とを具備する管状体。【選択図】　　図３
2004113120.tif 000002
【特許請求の範囲】
【請求項１】
曲面状の外面を有する本体部と、この本体部上に形成され、干渉色を発生させる波板状構造の微細粒子を含む装飾層とを具備することを特徴とする釣り又はゴルフ用物品。
【請求項２】
前記装飾層は、３μｍから７μｍの範囲の厚さを有することを特徴とする請求項１に記載の釣り又はゴルフ用物品。
【請求項３】
前記装飾層の下側に位置する下地層と、装飾層の上側に位置する上塗り層との少なくとも一方を有することを特徴とする請求項１又は２に記載の釣り又はゴルフ用物品。
【発明の詳細な説明】
【０００１】
【発明の属する技術分野】
本発明は、釣り又はゴルフ用物品に関し、特に、例えば釣竿等の釣り用物品、あるいは、ゴルフシャフト等のゴルフ用物品に関する。
【０００２】
【従来の技術】
一般に、釣竿等の釣り用品、あるいは、ゴルフシャフト等のゴルフ用物品の外観を向上させるため、種々の装飾層が提案されている。
例えば釣竿を形成する管状体には、管状体本体の外側に、例えば長さが約３０〜５００μｍ程度で扁平構造の横断面形状を有する粒子サイズの大きい多層構造発色繊維チップを混合した装飾層を形成するものがある（例えば特許文献１参照）。
また、例えば釣竿あるいはゴルフシャフト等の従来の釣り又はゴルフ用物品には、所定形状の本体部上に、平面形状の最大寸法がほぼ５０〜２００μｍ程度に形成されて干渉色を発生させる板状構造の粒子を内包した装飾層を形成するものがある（例えば特許文献２参照）。
いずれの装飾層も、比較的薄く形成することにより、粒子サイズの大きい多層構造発色繊維チップあるいは板状構造の粒子を管状本体あるいは本体部の外周面にほぼ沿わせた状態に配置され、発色繊維チップあるいは板状構造の粒子の発色による変化に富んだ優れた外観を形成することができる。
【０００３】
【特許文献１】
特開２００２−２１９８９９　（第３頁、図２−５）
【０００４】
【特許文献２】
特開２００２−２１９９００　（第３頁、図２−５）
【０００５】
【発明が解決しようとする課題】
しかし、これらの特許文献１に記載の発色繊維チップおよび特許文献２に記載の板状構造の粒子は、いずれも粒子サイズが大きいため、スプレー塗装あるいはシゴキ塗装で通常得られる程度の例えば７〜１５μｍ程度の塗膜厚とした場合には、これらの発色繊維チップあるいは板状構造の粒子の一部が装飾層から突出することもある。
【０００６】
このため、装飾層の外面を平滑に形成する場合には、複数回にわたって塗膜層を塗り重ね、外観を整える必要がある。このように平滑な外面を形成するために塗膜層を重ねると、全体が厚くかつ重くなることに加え、製造工程および時間が増大し、コスト高となる。更に、粒子サイズが大きいため、細い竿等の曲率の大きな部分には採用することが困難であると共に、これらの発色繊維チップあるいは板状構造の粒子自体の発色が目立つため、異なる光源下においてもその外観をある程度は予測することができる。
【０００７】
本発明は、このような事情に基づいてなされたもので、曲率の大きな部分でも、異なる光源下で予測のつかない外観を安価に形成することのできる軽量構造の釣り又はゴルフ用物品を提供することを目的とする。
【０００８】
【課題を解決するための手段】
上記目的を達成する本発明の釣り又はゴルフ用物品は、曲面状の外面を有する本体部と、この本体部上に形成され、干渉色を発生させる波板状構造の微細粒子を含む装飾層とを具備することを特徴とする。
【０００９】
【発明の実施の形態】
図１から図７は、本発明における釣り又はゴルフ用物品の好ましい実施形態を示す。図示の実施形態では、釣り又はゴルフ用物品は釣竿あるいはゴルフシャフト等に好適な管状体１０として形成してある。
図１から図３に示すように、本実施形態の管状体１０は、強化繊維に合成樹脂を含浸したプリプレグを芯金に巻回することで形成された中空薄肉構造の管状構造の本体部１２を有し、この本体部１２の曲面状の外面の所要部位に、後述する微細粒子を包含した装飾層１４が形成されている。この装飾層１４は本体部１２の表面部の全体にわたって形成してもよく、図１に示すように、その一部にのみ形成する場合には、装飾層１４を形成してない部分に段塗り塗装やスプレーによるぼかし塗装等の適宜の塗装を施しておくことが好ましい。
【００１０】
なお、本体部１２は、図示のような中空の管状構造に限るものではなく、中実構造としてもよく、その本体部１２を形成する材料も、上述のような繊維強化樹脂に限らず、釣り用品あるいはゴルフ用品の用途に応じて金属あるいはセラミック等の好適な材料で形成することができる。いずれの場合も、本体部１２の外面は、少なくとも装飾層１４を形成する部位を、例えばバレル研磨あるいはバフ仕上げ等により、平滑な鏡面状の曲面に形成しておくのが好ましい。
【００１１】
装飾層１４を形成する塗料は、下地との密着性に加え、管状体１０を釣り用品として形成する場合には特に耐水、耐候、耐熱、耐寒あるいは耐塩水等の耐久性を考慮し、また、管状体１０を釣竿として形成する場合には竿管のしなりを考慮し、用途に適した任意のものを用いることができ、このような塗料には、例えばアクリルウレタン樹脂、フッ素樹脂、ポリエステルウレタン樹脂、シリコーン樹脂、あるいは、アクリルシリコーン樹脂等の管状体１０の撓みや断面の変化に耐えられる樹脂からなるものが好ましい。また、装飾層１４の塗膜硬度としては、鉛筆硬度２Ｂ〜４Ｈの範囲に形成するが好ましい。更に、内部の微細粒子が発生する干渉色を外部から見えるようにするために、透明あるいは半透明の性質を持つクリアー塗料あるいはカラークリアー塗料であることが望ましく、いずれの場合も、１回の工程で形成することが可能な３μｍから２０μｍの範囲で、特に３μｍから７μｍの範囲の厚さに形成することが好ましい。このような厚さとすることにより、装飾層１４を安価にかつ軽量構造に形成することができる。
【００１２】
図４および図５に示すように、このような装飾層１４の下側に下地層１６を配置し、上側を保護層１８で覆うことにより、外部環境から保護するようにしてもよい。
下地層１６を形成する場合には、塗装あるいはメッキ等の好適な手段により、本体部１２の表面部の全体あるいは所要部位に形成することができる。この下地層１６は、本体部１２を保護すると共に、装飾層１４の密着性を高める作用をなし、例えば釣竿用として炭素やガラス繊維を有する繊維強化樹脂製の本体部１２の外径をほぼ０．５〜２５ｍｍ、肉厚をほぼ０．１〜３ｍｍに形成した場合には、その本体部１２の表面の凹凸状態にもよるが、この下地層１６の厚さをほぼ３〜６０μｍ程度とするのが好ましい。このように形成することにより、本体部１２が変形してもはがれ難く、密着性に優れた下地層１６が形成される。更に、この下地層１６は、例えば黒等の光の吸収の大きい暗色、あるいは、イオンプレーティング等で形成される光輝性を有する色彩あるいはアルミニウム等のメタリック粒子を含有させたり、干渉色を発するパール顔料を含有させる等の、装飾層１４に内包される微細粒子による発色を引立たせあるいはカモフラージュしたり、意図する外観を演出するために好適な色に着色し、装飾層１４を良好に形成するために、外周面を平滑な鏡面状に形成しておくのが好ましい。なお、この下地層１６は、衝撃吸収層、プライマー層、あるいは合成樹脂層等を含む複数層に形成してもよい。
【００１３】
この下地層１６は、本体部１２との密着性に優れ、本体部１２のしなりや、しなりに伴う断面の変形等に追従しうることが望ましく、このような下地層１６に適したものには、例えばエポキシ樹脂、ポリウレタン樹脂、フッ素樹脂、アクリルシリコーン樹脂、アクリルウレタン樹脂、アクリル樹脂、あるいは、うるし系塗料が好ましく、塗膜硬度としては、鉛筆硬度２Ｂ〜４Ｈの範囲であるのが好ましい。
【００１４】
また、装飾層１４の上に形成する上塗り層１８は、平滑な鏡面状に形成された装飾層１４の外周面上に配置され、この装飾層１４を外部環境から保護する。この保護層１８は、装飾層１４との密着性、耐候性あるいは耐食性等を考慮して選定した着色あるいは無着色の透明あるいは半透明の合成樹脂を用いるのが好ましい。更に、このような上塗り層１８中に、パール、アルミニューム、ホログラム状の粒子や装飾層１４と同様に波板状構造の微細粒子等の他の適宜粒子をその一部あるいは全体に含有させることも可能である。このような下地層１６および上塗り層１８は、用途によっては双方あるいは一方を省略することもできる。この場合には、管状体１０の低コスト化および軽量化が可能である。
【００１５】
図２から図６に示すように、装飾層１４内では、微細粒子２０がその全体にわたってほぼ均等に分散されている。
本実施形態の微細粒子２０は、図７および図８に示すように、波板状構造を有し、フィルムあるいは薄膜状のおおよそ平坦な基材２２の両面に光を反射させあるいは透過させる外側層２４を積層した三層構造に形成してある。このような微細粒子２０は、基材２２をアルミニウム、ニッケル、チタン、金あるいは銀等の金属材料や、ポリエチレン・テレフタレート、ポリブチレンテレフタレート、ウレタン、ＰＡ等のプラスチック材料で形成し、外側層２４はアルミニウム、ニッケル、チタン、金あるいは銀等で形成することができる。更に、基材２２を反射層とし、外側層２４を透明状のプリズム効果を有する光透過層としてもよい。この場合、基材２２は金属から形成するのが好ましい。金属で形成する場合には、基材２２をアルミニウム、ニッケル、チタン、金、銀等の金属材料で形成し、外側層２４をフッ化マグネシウム、酸化ケイ素等の材料で形成することができる。また、この場合、基材２２と外側層２４との間に半透明の着色層（図示しない）を設けることにより、発色を調整することもできる。そして、このような金属材料を用いて微細粒子２０を形成する場合は、基材２２の両面に外側層２４を積層した薄板材を形成し、この薄板材を小さく砕くことにより、ランダムな形状を持つ微細粒子２０とすることができる。この微細粒子２０は、図７に示す平面図で見たときの表面部の平均粒径が５〜８０μｍの範囲で、２０〜２２μｍ程度、その厚さが０．５〜２μｍの範囲で、１μｍ程度の薄板状構造に形成するのが好ましい。
【００１６】
更に、このような微細粒子２０は、外側層２４の表面部に多数の微細な溝２６を互いに隣接させて延設した波板構造に形成してある。これらの溝２６のピッチすなわち隣接する溝２６間のピッチは０．６〜０．９μｍの範囲で０．７μｍであるのが好ましく、また、溝２６の深さは薄板材の厚さの１９／４０に形成するのが好ましい。なお、本明細書中で、溝２６とは、平坦面に凹設して形成した溝だけでなく、平坦面から突出する突条間に形成される凹部も含むものであり、したがって、溝２６の間隔は隣接する突条の間隔と等しく、また、溝２６の深さは、このような溝２６を区画する壁部あるいは突条の高さに等しい。
【００１７】
このような溝２６は、例えば上述のような金属材料を用いた薄板材の少なくとも一方の表面部を、例えばプレス機で型おしし、この表面部に無数の微細な線状の凹凸部を形成するエンボス加工により、形成することができる。このようなエンボス加工を表面部に施された波板状構造の微細粒子２０は、その表面部の溝２６を形成するそれぞれの反射面からの反射光に光の干渉、回析、屈折あるいは分散が生じる。なお、図示の微細粒子２０は、溝２６とこれらの溝をその間に区画する突条との双方の横断面形状を互いに逆向きの三角形状に形成し、これにより、反射面を平坦でかつ大きな面積に形成することが可能であるが、上述のような干渉色または連続スペクトルを形成できるものであれば、溝２６で形成される外側層２４の反射面を僅かに凸状あるいは凹状の湾曲面で形成することができる。また、これらの溝２６は、直線状に形成することに代え、ある程度湾曲した状態であってもよい。
【００１８】
更に、基材２２は、図８に示すような平坦な形状に形成することに代え、図９に示すような波状に形成してもよい。この場合には、両側の外側層２４の溝２６がほぼ半ピッチずれた状態に配置される。また、微細粒子２０は、図８に示す状態の反射面の大きさおよび傾斜角度を維持しつつ、その厚さを小さくすることができる。
【００１９】
このような微細粒子２０は、装飾層１４を形成したときに、本体部１２あるいは下地層１２が見える程度に、０．０１〜２．０重量％程度塗料中に含有させることが好ましい。更に、このような微細粒子２０に加え、パールあるいはアルミニウム粒子の他の粒子を混合することができる。他の粒子を混合する場合には、これらの粒子のサイズは、装飾層１４の厚さを上述の範囲に維持できる範囲とすることが好ましい。
【００２０】
この装飾層１４を形成する場合は、本体部１２の外面に直接あるいは下地層１６の上に、微細粒子２０を含有した塗料、あるいは微細粒子２０と共に他の粒子を含有した塗料をスプレーによる吹付け、あるいは、シゴキ塗装する。微細粒子２０の粒径が小さいため、一回の工程で上述の望ましい厚さを有する装飾層１４を形成することができ、その外面から微細粒子２０が突出することもない。装飾面１４の外面が平滑に形成されるため、上塗り層１８を形成する際に、更に装飾層１４の外面を加工することを要しない。
【００２１】
このような装飾層１４を形成した管状体１０は、蛍光灯のような比較的暗い光源の下では、微細粒子２０がその小さな粒径のため、目立たず、白またはグレーの粒子として認識される。そして、太陽光のような明るい光源の下に移動すると、管状体１０の軸方向に沿って延びる単色光の帯が周方向に沿って複数本併置された鮮やかな虹色が浮び上がってくる。このように虹色が浮び上がるのは、管状体１０の外面が湾曲しているため、微細粒子２０の溝２６を形成するそれぞれの反射面間で、光の到達距離が変化するためである。すなわち、反射面間で光の到達距離が変化すると、各反射面からの反射光に位相差が発生し、干渉による発色が生じる。また、微細粒子の光透過層により、光が屈折・分散し、単色光に分光され、連続したスペクトルが生じる。目に達する光の波長は、光源あるいは目の位置に応じても変化するため、目に見える光の色が湾曲方向に沿って変化し、虹色に見える。反射光が少ないとき、すなわち暗い光源の下では、このような虹色を見えず、明るい光源の下に移動したときに初めて認識される。
【００２２】
本発明者等は、装飾層１４の塗料および下塗り層１６の色を種々組合せた３つの実施例について実験した。第１実施例は、黒の下塗り層１６とクリアー塗料に上述の微細粒子２０を含有させた装飾層１４とを組合せ、第２実施例は、イオンプレーティングで形成した赤の下塗り層１６とクリアー塗料に微細粒子２０を含有させた装飾層１４とを組合せ、第３実施例は、黒の下塗り層１６と黒のカラークリアー塗料に微細粒子２０を含有させた装飾層１４とを組合せた。いずれの実施例も微細粒子２０の含有量は０．０５重量％とした。
【００２３】
これらの実施例について種々の光源の下で観察したところ、８００ルックスの蛍光灯下では、第１実施例が僅かに虹色が見え、第２，第３実施例は、微細粒子２０が白い粒状に見えるだけで、虹色は見えなかった。また、１８００ルックスの太陽光の下では、第１実施例が虹色として認識でき、第２実施例が僅かに虹色を認識でき、第３実施例は微細粒子２０の白い粒が見えるだけで虹色は見えなかった。更に、２５００ルックスの太陽光の下では、第１，第２実施例について虹色が目立ち、第３実施例はわずかに虹色が見えた。そして、直射日光の下では、全ての実施例が極めて目立つ虹色を認識できた。
【００２４】
なお、上述の実施形態では、円筒状あるいは円錐状の外面を有する管状体１０について説明してきたが、このような管状体の他にも、例えば魚釣り用リールのボディ等の曲面状の外面を有するものであれば、どのようなものにも、このような装飾層を形成することができる。特に、微細粒子２０の粒径が小さいため、曲率の大きな外面であっても、安価かつ軽量構造に形成することができる。
【００２５】
【発明の効果】
以上明らかなように、本発明によれば、装飾層中に波板状構造の微細粒子を含むことにより、曲率の大きな部分でも、異なる光源下で予測のつかない外観を安価に形成することのできる軽量構造の釣り又はゴルフ用物品を提供することができる。
【図面の簡単な説明】
【図１】本発明の好ましい実施形態による釣り又はゴルフ用物品を形成する管状体の概略図。
【図２】図１の管状体の装飾層を含む部分の概略的な断面図。
【図３】図２に示す断面図の一部を拡大した説明図。
【図４】変形例による管状体の図２と同様な断面図。
【図５】図４に示す断面図の部分拡大図。
【図６】装飾層内の微細粒子の配置状態を示す説明図。
【図７】装飾層内に配置される微細粒子を拡大して示す説明図。
【図８】図８の微細粒子の構造を示す説明図。
【図９】変形例による微細粒子の説明図。
【符号の説明】
１０…管状体、１２…本体部、１４…装飾層、２０…微細粒子。
【図１】
2004113120.tif 000003
【図２】
2004113120.tif 000004
【図３】
2004113120.tif 000005
【図４】
2004113120.tif 000006
【図５】
2004113120.tif 000007
【図６】
2004113120.tif 000008
【図７】
2004113120.tif 000009
【図８】
2004113120.tif 000010
【図９】
2004113120.tif 000011